(57)【要約】      （修正有）【課題】眼鏡を着脱自在に係止する機能と、無線式イヤホン又は補聴器を着脱自在に係止する機能を備えたホルダを提供する。【解決手段】ホルダは、眼鏡を着脱自在に係止する眼鏡保持部と、耳穴装着部１と棒状筐体部２を備えた無線式イヤホン又は補聴器を着脱自在に係止するイヤホン保持部とを備えたゴム素材で構成され、眼鏡保持部は眼鏡を差し込んだ時、ゴム素材の弾性にて眼鏡を着脱自在に係止し、イヤホン保持部は棒状筐体部を差し込んだ時ゴム素材の弾性にて棒状筐体部を着脱自在に係止する。【選択図】図６
0003228153.tif 000002
【実用新案登録請求の範囲】
【請求項１】
眼鏡を着脱自在に係止する保持部Ａと、耳穴装着部と棒状筐体部を備えた無線式イヤホン又は補聴器を着脱自在に係止する保持部Ｂとを備えたゴム素材で構成されたホルダであって、保持部Ａは眼鏡を差し込んだ時、ゴム素材の弾性にて眼鏡を着脱自在に係止する保持部であって、保持部Ｂは棒状筐体部を差し込んだ時ゴム素材の弾性にて棒状筐体部を着脱自在に係止することを特徴とするホルダ。
【請求項２】
眼鏡を着脱自在に係止する保持部Ａと、耳穴装着部と棒状筐体部を備えた無線式イヤホン又は補聴器を着脱自在に係止する保持部Ｂとを備えたゴム素材で構成されたホルダであって、保持部Ａは眼鏡を差し込んだ時、ゴム素材の弾性にて眼鏡を着脱自在に係止する保持部であって、保持部Ｂにはフックを備えた係止部材を配し、棒状筐体部を差し込んだ時フックの弾性にて棒状筐体部を着脱自在に係止することを特徴とするホルダ。
【請求項３】
眼鏡を着脱自在に係止する保持部Ａと、耳穴装着部と棒状筐体部を備えた無線式イヤホン又は補聴器を着脱自在に係止する保持部Ｂとを備えたゴム素材で構成されたホルダであって、保持部Ａは眼鏡を差し込んだ時、ゴム素材の弾性にて眼鏡を着脱自在に係止する保持部であって、保持部Ｂにはバネ板を備えた係止部材を配し、棒状筐体部を差し込んだ時板バネの弾性にて棒状筐体部を着脱自在に係止することを特徴とするホルダ。
【考案の詳細な説明】
【技術分野】
【０００１】  本考案は、眼鏡を着脱自在に係止する機能と、無線式イヤホン又は補聴器を着脱自在に係止する機能を備えたホルダに関する。
【背景技術】
【０００２】  従来、音楽を聴く時、又は電話通話時などにイヤホンを使用する事があったが、イヤホンを繋ぐ線材が邪魔になっていた。これに対し、近年無線式イヤホンが数多く提供されてきている。【０００３】  無線式イヤホンは便利ではあるが、イヤホンを使用しない時の保管は、洋服のポケットや、カバンの中にしまっており、取り出す時に不便を感じていた。【０００４】  また、眼鏡のテンプル部にスピーカーを内蔵し、耳の方向に音を出すスピーカー付き眼鏡も提供されている。スピーカー付き眼鏡では、耳穴を塞がなくても使用でき、よって音楽と環境音を同時に聞く事ができる。【０００５】  但し、頭の大きい人、耳の位置がやや後方よりの人に対しては、スピーカーの位置が耳から離れ、音が小さく聞える事になる。この時、大きな音で聞く為にはスピーカーの音量を上げれば良いが、音漏れが大きく、周囲の人に迷惑をかける事になってしまっている。【０００６】  また、眼鏡に於ける掛け心地を左右する先セルの位置調整の為、テンプルの長さ調整機能について、いくつかの考案がされている。長さ調節可能なテンプルを備えた眼鏡、特許第３０１１６６３号、長さ調整可能なテンプル及び当該テンプルを備える眼鏡、特許第４６６４４０１号、または、老眼鏡兼用拡大鏡、実用新案登録第３１６７３０４号、または、眼鏡用テンプル、実用新案登録第３１８９１４１号などがある。【０００７】  また、本件考案者による、眼鏡に対する無線式ヘッドセットを着脱自在に係止する着脱具の考案、眼鏡へのヘッドセット着脱具、実用新案登録第３１９９５６３号がある。
【特許文献１】特許第３０１１６６３号
【特許文献２】特許第４６６４４０１号
【特許文献３】実用新案登録第３１６７３０４号
【特許文献４】実用新案登録第３１８９１４１号
【特許文献５】実用新案登録第３１９９５６３号
【考案の開示】
【考案が解決しようとする課題】
【０００８】  本考案は、眼鏡を着脱自在に係止する保持部Ａと、無線式イヤホン又は補聴器を着脱自在に係止する保持部Ｂを備えたホルダを提供する事にある。
【課題を解決するための手段】
【０００９】  本考案のホルダは、眼鏡を着脱自在に係止する保持部Ａと、耳穴装着部と棒状筐体部を備えた無線式イヤホン又は補聴器を着脱自在に係止する保持部Ｂとを備えたゴム素材で構成されたホルダであって、保持部Ａは眼鏡を差し込んだ時、ゴム素材の弾性にて眼鏡を着脱自在に係止する保持部であって、保持部Ｂは棒状筐体部を差し込んだ時ゴム素材の弾性にて棒状筐体部を着脱自在に係止することを特徴とする【００１０】  また  眼鏡を着脱自在に係止する保持部Ａと、耳穴装着部と棒状筐体部を備えた無線式イヤホン又は補聴器を着脱自在に係止する保持部Ｂとを備えたゴム素材で構成されたホルダであって、保持部Ａは眼鏡を差し込んだ時、ゴム素材の弾性にて眼鏡を着脱自在に係止する保持部であって、保持部Ｂにはフックを備えた係止部材を配し、棒状筐体部を差し込んだ時フックの弾性にて棒状筐体部を着脱自在に係止することを特徴とする【００１１】  また、眼鏡を着脱自在に係止する保持部Ａと、耳穴装着部と棒状筐体部を備えた無線式イヤホン又は補聴器を着脱自在に係止する保持部Ｂとを備えたゴム素材で構成されたホルダであって、保持部Ａは眼鏡を差し込んだ時、ゴム素材の弾性にて眼鏡を着脱自在に係止する保持部であって、保持部Ｂにはバネ板を備えた係止部材を配し、棒状筐体部を差し込んだ時板バネの弾性にて棒状筐体部を着脱自在に係止することを特徴とするホルダ。
【考案の効果】
【００１２】  無線式イヤホンを差し込んだホルダを装着した眼鏡を掛けた状態で、電話がかかってきた時、容易に無線式イヤホンをホルダから取り外し、無線式イヤホンを耳に装着して電話で通話を行い、通話終了時は無線式イヤホンをホルダに容易に装着する事ができる。
【考案を実施するための最良の形態】
【００１３】  以下、本考案に適応した例を、図１から図６に基づいて説明する。
【実施例１】
【００１４】  図１は、無線式イヤホンの斜視図である。１は耳穴装着部であって、２は棒状筐体部である。【００１５】  図２は、ホルダの斜視図である。３は保持部Ａを示し、４は保持部Ａ孔、５は保持部Ｂ、６は保持部Ｂ孔である。ホルダは、【００１６】  図３は、係止部材の斜視図である。７は係止部材であって、８は切り欠き部である。係止部材７は中央に孔の開いた円柱形をしており、その孔はテーパーを付けて、入れやすくしている。また狭い口の端部から続く二つの切り欠き部８に挟まれた範囲部は、弾性フック部となる。【００１７】  図４は、保持部Ｂ孔に係止部材を差し込んだ状態を示す斜視図である。【００１８】  図５は、図４の状態に対し、無線式イヤホンを差し込んだ状態を示す斜視図である。無線式イヤホンは、係止部材７に棒状筐体部２を差し込む事で、棒状筐体部２が弾性フック部に押され、ホルダに対し着脱自在に系止されている。【００１９】  また、係止部材にバネ板をフックとして配する場合、バネ材で係止部材を構成する場合もある。【００２０】  また、係止部材を使用せず、保持部Ｂ孔６を無線式イヤホンの棒状筐体部２より若干小さくし、ゴム素材の伸縮にて、無線式イヤホンの棒状筐体部２を保持する場合もある。【００２１】  図６は、図５の状態のホルダに、眼鏡のモダン部を差し込んだ状態を示す斜視図である。９はモダンを示している。眼鏡のモダン９より若干小さい孔の保持部Ａ孔に、モダンを通した時、保持部Ａ孔はゴム素材の伸縮にて、モダンを保持する。
【産業上の利用可能性】
【００２２】    本考案の、ホルダを眼鏡に装着し、ホルダに無線式イヤホンを装着する事で、必要な時に無線式イヤホンを眼鏡から取り外し、耳に装着する事でスムーズな電話通話を可能としている。
【図面の簡単な説明】
【００２３】
【図１】無線式イヤホンを示す斜視図。
【図２】ホルダの斜視図。
【図３】係止部材の斜視図。
【図４】保持部Ｂ孔に係止部材を差し込んだ状態を示す斜視図。
【図５】図４の状態に対し、無線式イヤホンを差し込んだ状態を示す斜視図。
【図６】図５の状態のホルダに、眼鏡のモダン部を差し込んだ状態を示す斜視図。
【符号の説明】
【００２４】１    耳穴装着部
２    棒状筐体部
３    保持部Ａ
４    保持部Ａ孔
５    保持部Ｂ
６    保持部Ｂ孔
７    係止部材
８    切り欠き部
９    モダン
【図１】
0003228153.tif 000003
【図２】
0003228153.tif 000004
【図３】
0003228153.tif 000005
【図４】
0003228153.tif 000006
【図５】
0003228153.tif 000007
【図６】
0003228153.tif 000008